(57)【要約】  【課題】  マイクロホン付きイヤーセットを軽量、安価に耳に固定することを可能としたマイクロホン付きイヤーセットを提供することを目的とするものである。    【解決手段】  マイクロホン付きイヤーセットであるブームマイクロホン１は、ベース部１１と、ベース部１１から外部機器へ導出されるケーブル７と、クリップ１７とにより構成されている。このベース部１１には、レシーバユニット３と、マイクロホン収容部１５及びマイクロホン収容部１５に収容されたマイクロホン５とが含まれている。ケーブル７を、耳の前部から上部を経て下部に掛けクリップ１７にて被挟持部１９を挟み込み、これにより使用者の耳にブームマイクロホン１を固定することができる。  【選択図】          図１
2006033078.tif 000002
【特許請求の範囲】
【請求項１】
外耳道入口に装着するイヤホンと、音等による振動を電気信号に変換するマイクロホンと、上記マイクロホンを収容するマイクロホン収容部と、
上記マイクロホン収容部と上記イヤホンを結ぶ連結部と、を有するベース部と、
上記ベース部から外部機器に延出されるケーブルと、
上記ケーブルには、上記ベース部を挟持するためのクリップ部と、
を備えることを特徴とするマイクロホン付きイヤーセット。
【請求項２】
上記ベース部には、上記クリップ部が挟持するための被挟持部が形成されていることを特徴とする請求項１記載のマイクロホン付きイヤーセット。
【請求項３】
上記クリップ部は、上記ケーブル上の取付位置を移動可能に備えられていることを特徴とする請求項１または請求項２記載のマイクロホン付きイヤーセット。
【請求項４】
外耳道入口に装着するイヤホンと、
音等による振動を電気信号に変換するマイクロホンと、
上記マイクロホンを収容するマイクロホン収容部と、
上記マイクロホン収容部と上記イヤホンを結ぶ連結部と、
を有するベース部と、
上記ベース部から外部機器に延出されるケーブルと、
上記ケーブルを挟持するためのクリップ部と、
を備えることを特徴とするマイクロホン付きイヤーセット。
【請求項５】
上記ケーブルには、上記クリップ部が挟持するための被挟持部が形成されていることを特徴とする請求項４記載のマイクロホン付きイヤーセット。
【請求項６】
上記被挟持部は、上記ケーブル上を移動可能に備えられていることを特徴とする請求項４または請求項５記載のマイクロホン付きイヤーセット。
【請求項７】
上記被挟持部は、上記ケーブルの一部をコーティングすることにより形成されていることを特徴とする請求項４または請求項５記載のマイクロホン付きイヤーセット。
【発明の詳細な説明】
【技術分野】
【０００１】
本願発明は、マイクロホン付きイヤーセットに関するものであり、特にマイクロホン付きイヤーセットを耳に固定する手段の構成に関するものである。
【背景技術】
【０００２】
一般に、マイクロホン付きイヤーセットは、マイクロホンとイヤーセット等からなるベース部(マイクロホン付きイヤーセット本体)と、これらと外部機器とを結ぶケーブルとにより構成されている。この種のマイクロホン付きイヤーセットとして、たとえば特開平４−９６５５４号公報に開示されたようなものが知られている。
【０００３】
このマイクロホン付きイヤーセットは、イヤセットを耳に固定し、そこから延出されるマイクロホンを口元に近づけるよう保持し、使用されるものである。
【０００４】
【特許文献１】特開平４−９６５５４号公報
【発明の開示】
【発明が解決しようとする課題】
【０００５】
しかしながら、このようなマイクロホン付きイヤーセットには、次のような問題がある。
【０００６】
すなわち、イヤセットを耳に固定する際に、耳掛け手段やあるいは頭部での固定手段等をマイクロホン付きイヤーセットに設けなければならないが、より確実に固定するためには、大掛かりな構成を用いるなどしなければならず、装置が大型化してしまいコストアップや操作性の低下などを引き起こす問題があった。
【０００７】
本願発明は、このような事情に鑑みてなされたものであって、マイクロホン付きイヤーセットを軽量、安価に耳に固定することを可能としたマイクロホン付きイヤーセットを提供することを目的とするものである。
【課題を解決するための手段】
【０００８】
すなわち、本願発明に係るマイクロホン付きイヤーセットは、外耳道入口に装着するイヤホンと、音等による振動を電気信号に変換するマイクロホンと、上記マイクロホンを収容するマイクロホン収容部と、上記マイクロホン収容部と上記イヤホンを結ぶ連結部と、を有するベース部と、上記ベース部から外部機器に延出されるケーブルと、上記ケーブルには、上記ベース部を挟持するためのクリップ部と、を備えることを特徴とするものである。
【０００９】
また、上記ベース部には、上記クリップ部が挟持するための被挟持部が形成されていることを特徴とするものである。
【００１０】
さらに、上記クリップ部は、上記ケーブル上の取付位置を移動可能に備えられていることを特徴とするものである。
【００１１】
また、本願発明に係るマイクロホン付きイヤーセットは、外耳道入口に装着するイヤホンと、音等による振動を電気信号に変換するマイクロホンと、上記マイクロホンを収容するマイクロホン収容部と、上記マイクロホン収容部と上記イヤホンを結ぶ連結部と、を有するベース部と、上記ベース部から外部機器に延出されるケーブルと、上記ケーブルを挟持するためのクリップ部と、を備えることを特徴とするものである。
【００１２】
さらに、上記ケーブルには、上記クリップ部が挟持するための被挟持部が形成されていることを特徴とするものである。
【００１３】
また、上記被挟持部は、上記ケーブル上を移動可能に備えられていることを特徴とするものである。
【００１４】
さらに、上記被挟持部は、上記ケーブルの一部をコーティングすることにより形成されていることを特徴とするものである。
【００１５】
上記構成に示すように、本願発明に係るマイクロホン付きイヤーセットは、イヤホンとマイクロホン等により構成されるベース部を挟持するためのクリップ部がケーブルに備えられていることにより、ケーブルを耳の前部から上部を経て下部に掛け、その後耳下部位置でクリップ部によりベース部を挟み込み耳にマイクロホン付きイヤーセットを固定するように使用することが可能となる。これにより、簡単な構成により、確実にマイクロホン付きイヤーセットを耳に固定することができる。
【００１６】
また、ベース部に被挟持部を設けることにより、クリップ部での挟持がしやすくなり、操作性が向上する。また、クリップ部での挟持力により、マイクロホン付きイヤーセットを破損させてしまうことを防止できる。
【００１７】
さらに、クリップ部がケーブル上の取付位置を移動できるように取り付けられているため、耳の大きさにより固定位置を調整することができる。
【００１８】
また上記構成に示すように、本願発明に係るマイクロホン付きイヤーセットは、ケーブルを挟持するクリップ部を有する構成としてもよく、これにより、ケーブルを耳の前部から上部を経て下部に掛け、その後耳下部位置でケーブルをクリップ部により挟持することにより、耳にマイクロホン付きイヤーセットを固定するように使用することが可能となる。これにより、簡単な構成により、確実にマイクロホン付きイヤーセットを耳に固定することができる。なお、クリップ部は、ベース部またはケーブルに備えることが可能である。
【００１９】
さらに、ケーブルにはクリップ部に挟まれる部分である被挟持部を設けることにより、クリップ部での挟持がしやすくなり、操作性が向上する。また、クリップ部での挟持力により、ケーブル内の導線が切断されてしまうことを防止できる。
【００２０】
また、被挟持部はケーブル上を移動できるように取り付けられているため、耳の大きさにより固定位置を調整することができる。
【００２１】
さらに、被挟持部はケーブルの一部をコーティングすることにより構成してもよく、これにより、クリップ部での挟持力により、ケーブル内の導線が切断されてしまうことを防止できる。
【発明を実施するための最良の形態】
【００２２】
以下、図面を用いて、本願発明の実施の形態について説明する。
【実施例１】
【００２３】
図１は、本願発明の第一実施形態に係るブームマイクロホン１を示す斜視図であり、図２は、図１のブームマイクロホン１の使用例を示す斜視図であり、図５は、本願発明のクリップの取付部を示す斜視図である。
【００２４】
これらの図に示すように、本実施形態に係るマイクロホン付きイヤーセットであるブームマイクロホン１は、ベース部１１と、ベース部１１から外部機器へ導出されるケーブル７と、クリップ１７とにより構成されている。このベース部１１は、マイクロホン５とレシーバ３１とを含む骨格部であり、主要部である本体１３と、本体１３とマイクロホン収容部１５を結ぶブーム部９及び、ブーム部９に設けられた被挟持部１９及びレシーバユニット３及びマイクロホン収容部１５により構成される。なお、本実施例の場合、レシーバユニット３と本体１３とは一体に構成されている。
【００２５】
レシーバユニット３は、内部に発音体であるレシーバ３１を備え、このレシーバ３１から発せられる音を耳に導く放音孔３３を備えたイヤーチップ３５を備えている。このレシーバ３１は、略直方体の外形形状を有するバランスドアーマチャ型の電磁型レシーバで構成されている。また、イヤーチップ３５は、外耳道に挿入した状態で使用するようになっている。さらに、イヤーチップ３５は、例えばシリコーンゴム等の軟質材料で構成されており、円筒部材とそこに取り付けられた３段の環状フランジと放音孔３３とからなっている。
【００２６】
本体１３は、ＡＢＳ（アクリロニトリルブタジエンスチレン樹脂）等の樹脂により外観を略Ｌ字状に形成され、その略Ｌ字の内角部からマイクロホン５及びレシーバ３１と外部機器とを導通するケーブル７が導出されている。また、本体１３は、レシーバユニット３と一体に構成されているため、その一端には、イヤーチップ３５が取り付けられている。一方、本体１３の他端には、ブーム部９が取り付けられており、マイクロホン収容部１５及びマイクロホン収容部１５に収容されたマイクロホン５と接続されている。
【００２７】
マイクロホン収容部１５は、樹脂などにより形成されるケースであり、その内部には、音等の振動を電気信号に変換するためのマイクロホン５を備えている。また、マイクロホン収容部１５には、マイクロホン５に音等の振動を通過させるための音孔２５が形成されている。この音孔２５のうちマイクロホン５の正面と連通する正面音孔２５ａは、使用者がブームマイクロホン１を装着したときに、正面音孔２５ａが口の方向を向くように配置されている。具体的には、正面音孔２５ａがレシーバユニット３の放音孔３３と同じ方向を向くように配置されている。また、マイクロホン５の背面部と連通する背面音孔２５ｂは、マイクロホン収容部１５の正面音孔２５ａの反対側に配置され、マイクロホン５の指向性を高めるようになっている。
このような構成にすることにより、使用者の口方向以外の音（いわゆるノイズ）の検出をより弱くすることが可能となり、必要な音のみを検出することが可能となる。
【００２８】
マイクロホン５は、約φ３ｍｍの前面指向性を有するエレクトレットコンデンサマイクロホンであり、マイクロホン５正面と背面にはそれぞれ音孔を有している。このマイクロホン５正面と背面の音孔は、それぞれマイクロホン収容部１５の正面音孔２５ａと背面音孔２５ｂに連通される。
【００２９】
ブーム部９は、ＳＵＳ等の金属棒材を円筒状に巻回した表面をＡＢＳ等の樹脂によりコーティングした棒状部材であり、使用者が口元等へ任意にマイクロホン収容部１５を移動できるようにフレキシブルに折り曲げることができるものである。ブーム部９は、一端に本体１３が連結され、また他端にはマイクロホン収容部１５が連結されている。また、ブーム部９の内部には、本体１３からマイクロホン５へ延出される導線が埋設されている。さらに、ブーム部９には、樹脂によりコーティングされクリップ１７にて挟持される、被挟持部１９が設けられている。なお、本実施形態においては、ブーム部９全体に樹脂コーティングがなされており被挟持部１９となっている。なお、被挟持部１９は、ブーム部９の一端の本体１３近傍に設けられていれば、ブーム部９全体に設けられていなくても、本願発明の効果を有するブームマイクロホン１を構成することは可能である。
【００３０】
ケーブル７は、レシーバ３１用の２極の導線とマイクロホン５用の２極の導線との計４極の細い導線を寄り合わせた導線と、導線の外部を保護し絶縁するためのコード被膜とからなっている。導線は、銅等により構成された金属線である。また、コード被膜は、例えばＰＶＣ（塩化ビニル樹脂）により形成されている。また、ケーブル７には、被挟持部１９を挟むためのクリップ１７が取付られている。このクリップ１７は、ベース部１１からケーブル７の延出方向にレシーバユニット３から１５〜２０ｃｍ程度離れた位置に配置される。これによりケーブル７を図２に示すように、耳の前部から上部を経て下部に掛けクリップ１７にて被挟持部１９を挟み込み、これにより使用者の耳にブームマイクロホン１を固定することができる。
【００３１】
クリップ１７は、ＡＢＳ等の樹脂による２個のクリップ片及び、その２個のクリップ片の係合部に取り付けられる金属製のコイルバネにより形成された一般的な洗濯ばさみ状の部材であり、その一部にケーブル７に取り付けるための取付部２１が設けられている。クリップ１７は、一般の洗濯ばさみ同様一端を指等でつまむことにより他端が解放され、その解放された他端に被挟持部１９を挟み込み、一端を開放することで他端に挟み込んだ被挟持部１９が挟持される。また、クリップ１７の他端には、被挟持部１９を挟持した際にクリップ１７が位置ズレを起こさないように、複数の突起部や凹凸、溝等を形成することによる滑り止めの加工がなされている。
【００３２】
取付部２１には、図５に示すように張り出し部２３が形成され、クリップ１７本体と張り出し部２３によりケーブル７を挟み込むように構成されている。取付部２１は、ケーブル７へのクリップ１７の取付位置を調整できるように移動可能にケーブル７を張り出し部２３により湾曲させるように挟み込んでいる。また、一旦取付位置を決めた後に、取付位置が変わってしまうのを防ぐために、クリップ１７をさわった程度では、クリップ１７が移動しないように、ある程度強めの挟持力で挟み込んでいる。なお上述したように、クリップ１７は、ケーブル７におけるベース部１１からの延出方向にレシーバユニット３から１５〜２０ｃｍ程度離れた位置に初期設定で配置されており、使用者により任意に取付位置の移動調整が可能である。
【００３３】
以上詳述したように、本第一実施形態に係るブームマイクロホン１は、本体１３（レシーバユニット３）とブーム部９、マイクロホン収容部１５等により構成されるベース部１１を挟持するためのクリップ１７がケーブル７に備えられていることにより、ケーブル７を耳の前部から上部を経て下部に掛け、その後耳下部位置でクリップ１７によりベース部１１のブーム部９を挟み込み、耳にブームマイクロホン１を固定するように使用することが可能となる。これにより、簡単な構成により、確実にブームマイクロホン１を耳に固定することができる。
【００３４】
また、ベース部１１の特にブーム部９に被挟持部１９を設けることにより、クリップ１７での挟持がしやすくなり、操作性が向上する。また、内部が金属製のブーム部９に被挟持部１９を設けることにより、クリップ１７での挟持力による導線の切断や外観の変形などブームマイクロホン１の破損を防止できる。
【００３５】
さらに、クリップ１７がケーブル７上の取付位置を移動できるように取り付けられているため、耳の大きさにより固定位置を調整することができる。
【００３６】
なお、本第一実施形態において被挟持部１９は、ブーム部９に設けられているがこれに限定されるものではなく、本体１３に張り出し部を別途設け被挟持部１９として良い。この場合、既存のブーム部９を利用するのに比べコストが上昇する可能性はあるが、ブーム部９を挟持しなくて良いため、ブーム部９を金属製にしなくて良くなるなどの設計自由度は増加する。
【００３７】
次に、図面を用いて、本願発明の他の実施の形態について説明する。
【実施例２】
【００３８】
図３は、本願発明の第二実施形態に係るブームマイクロホン１００の使用例を示す斜視図である。なお、本願発明の第一実施形態と共通する部分構成の説明については、割愛する。
【００３９】
本願発明の第二実施形態に係るブームマイクロホン１００は、本願発明の第一実施形態に係るブームマイクロホン１と比較して、被挟持部１１９をケーブル７に設けた点が相違した特徴となる。
【００４０】
被挟持部１１９は、ケーブル７のベース部１１近傍に設けられている。被挟持部１１９は、クリップ１７により挟持されることによりケーブル７内の導線が切断されるのを防止するために、ＰＶＣ等の樹脂によりコーティングされている。さらに被挟持部１１９について、ケーブル７の他の部分より厚くコーティングすることにより、より断線防止効果が高まる。またケーブルの柔軟度を損ねないために、ケーブル７に厚くコーティングする部分は、ベース部１１近傍から３ｃｍ程度が良い。また、被挟持部１１９をシリコンゴムなどの別部材でコーティングしても良い。
【００４１】
これによりケーブル７を図３に示すように、耳の前部から上部を経て下部に掛けケーブル７上のクリップ１７にてケーブル７上の被挟持部１１９を挟み込み、これにより使用者の耳にブームマイクロホン１００を固定することができる。
【００４２】
以上詳述したように、本第二実施形態に係るブームマイクロホン１００は、ケーブル７にはクリップ１７に挟まれる部分である被挟持部１１９を設けることにより、クリップ１７での挟持がしやすくなり、操作性が向上する。また、クリップ１７での挟持力により、ケーブル７の導線が切断されてしまうことを防止できる。
【００４３】
さらに、被挟持部１１９をケーブル７の一部のみをコーティングすることにより構成してもよく、これにより、クリップ１７での挟持力により、ケーブル７内の導線が切断されてしまうことを防止できる。
【００４４】
次に、図面を用いて、本願発明のさらに他の実施の形態について説明する。
【実施例３】
【００４５】
図４は、本願発明の第３実施形態に係るブームマイクロホン２００の使用例を示す斜視図である。なお、本願発明の第一実施形態及び第二実施形態と共通する部分構成の説明については、割愛する。
【００４６】
本願発明の第三実施形態に係るブームマイクロホン２００は、本願発明の第一実施形態に係るブームマイクロホン１と比較して、被挟持部２１９をケーブル７に設けた点及び、クリップ２１７を本体１３に設けた点が相違した特徴となる。
【００４７】
被挟持部２１９は、ベース部１１からケーブル７の延出方向に１５〜２０ｃｍ程度延出された位置に配置される。被挟持部２１９は、クリップ２１７により挟持されることによりケーブル７内の導線が切断されるのを防止するために、シリコンゴム等により形成された厚さ１ｍｍ程度、長さ３ｃｍ〜５ｃｍの筒状の部材であり、内部にケーブル７が通されている。さらに被挟持部２１９は、ケーブル７上を移動できるように設けられており、使用者が自分の耳のサイズに合わせ固定位置を調整可能となっている。また被挟持部２１９の内径は、ケーブル７の外径とほぼ同径に形成されており、使用者が被挟持部２１９の位置を調整するとき以外は動かないように構成されている。さらに被挟持部２１９は、シリコンゴムなどにより構成されているためのケーブル７上を滑りにくい構成となっている。
【００４８】
クリップ２１７は、ＡＢＳ等の樹脂による２個のクリップ片及び、その２個のクリップ片の係合部に取り付けられる金属製のコイルバネにより形成された一般的な洗濯ばさみ状の部材であり、その一部にベース部１１に取り付けるための取付部２２１が設けられている。クリップ２１７は、一般の洗濯ばさみ同様一端を指等でつまむことにより他端が解放され、その解放された他端に被挟持部２１９を挟み込み、一端をつまむのをやめることで他端に挟み込んだ被挟持部２１９が挟持される。また、クリップ２１７の他端には、被挟持部２１９を挟持した際に位置ズレを起こさないように、複数の突起部や凹凸、溝等を形成することによる滑り止めの加工がなされている。
【００４９】
取付部２２１には張り出し部が形成され、クリップ１７本体と張り出し部により、ベース部１１の本体１３を挟み込むように構成されている。なお、取付部２２１は、ベース部１１のブーム部９を挟み込むように構成しても良い。また、クリップ２１７のクリップ片の一つを本体１３と一体的に成型し、クリップ１７を構成しても良い。
【００５０】
これによりケーブル７を図４に示すように、耳の前部から上部を経て下部に掛けベース部１１のクリップ２１７にて、ケーブル７上の被挟持部２１９を挟み込み、これにより使用者の耳にブームマイクロホン２００を固定することができる。
【００５１】
以上詳述したように、本第三実施形態に係るブームマイクロホン２００の被挟持部２１９は、ケーブル７上を移動できるように設けられているため、耳の大きさにより固定位置を調整することができる。
【００５２】
さらに、クリップ２１７をベース部１１に構成することにより、ケーブル７に取付部２２１を介してクリップ２１７を挟持等により取り付けるのに比べ、ケーブル７への挟持による不可がなくなり、クリップ２１７を取り付けることによる無用な断線を防止することが可能となる。
【図面の簡単な説明】
【００５３】
【図１】本願発明の第一実施形態に係るブームマイクロホン１を示す斜視図である。
【図２】本願発明の第一実施形態に係るブームマイクロホン１の使用例を示す斜視図である。
【図３】本願発明の第二実施形態に係るブームマイクロホン１００の使用例を示す斜視図である。
【図４】本願発明の第三実施形態に係るブームマイクロホン２００の使用例を示す斜視図である。
【図５】本願発明のクリップの取付部を示す斜視図である。
【符号の説明】
【００５４】
１、１００、２００  ブームマイクロホン
３  レシーバユニット
５  マイクロホン
７  ケーブル
９  ブーム部
１１  ベース部
１３  本体
１５  マイクロホン収容部
１７、２１７  クリップ
１９、１１９、２１９  被挟持部
２１、２２１  取付部
２３  張り出し部
２５  音孔
２５ａ  正面音孔
２５ｂ  背面音孔
３１  レシーバ
３３  放音孔
３５  イヤーチップ
【図１】
2006033078.tif 000003
【図２】
2006033078.tif 000004
【図３】
2006033078.tif 000005
【図４】
2006033078.tif 000006
【図５】
2006033078.tif 000007